(57)【特許請求の範囲】
【請求項１】
側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように積層し、縫着した畳床で形成されていることを特徴とする畳。
【請求項２】
側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように積層し、且つ上記裏面側の畳床用木質繊維板の下方に合成樹脂発泡体を積層して、縫着した畳床で形成されていることを特徴とする畳。
【請求項３】
側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように、且つ上記複数枚の畳床用木質繊維板の間に合成樹脂発泡体を挿入して積層し、縫着した畳床で形成されていることを特徴とする畳。
【発明の詳細な説明】
【０００１】
【産業上の利用分野】
本発明は、木質繊維板を畳床に用いた、特に縫着性の良い畳に関する。
【０００２】
【従来の技術】
従来から、軽くて柔らかな木質繊維板を複数枚積層して縫着した畳床を用いた畳は良く知られており、藁畳に替わって広く使用されている。
【０００３】
このような畳床に用いる木質繊維板は、柔らかいため運搬や畳形成作業時等の取り扱い時に角欠けが生じ易く、また、畳表を何度も張り替える時に、木質繊維板の畳縁に相当する部分に劣化を生じたり、畳の表面角部の角立ちが悪くなって丸みを帯びたりすることがあるため、木質繊維板の表面や側面或いは縁部表面に合成樹脂液を塗布含浸させて強化することも行われており、この木質繊維板の強化部分を表面側にして積層、縫着した畳床を用いて畳を形成することも行われている。
【０００４】
【解決課題】
しかしながら、上記木質繊維板を用いて畳を形成する場合、特に梅雨時期の多湿な条件の元では、木質繊維板が湿気を吸収して剥離強度が低下し易くなる。このため、このような通常より含水率が高くなった上記木質繊維板を複数枚積層して縫着する場合、裏面側の木質繊維板の裏面に針抜けと称する裏面に突出する剥離現象を生じることがあり、従来の樹脂で強化された木質繊維板を、強化部を表面にして積層し、縫着する構成では、このような現象を十分に抑制することができなかった。
【０００５】
また、縫着部である側縁部は，畳床縫着時にへこみやへたりが生じ易いため、縫着糸に緩みが生じ易いという現象を生じることがあり、このような針抜けや糸しまりの悪さは、縫着作業をし難くし、畳の性能にも悪影響を及ぼすことがあるという問題があった。
【０００６】
【課題を解決するための手段】
斯かる問題を解決するために、本願請求項１に係る発明の畳は、側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように積層し、縫着した畳床で形成された構成とした。
【０００７】
また、本願請求項２に係る発明の畳は、側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように積層し、且つ上記裏面側の畳床用木質繊維板の下方に合成樹脂発泡体を積層して、縫着した畳床で形成された構成とした。
【０００８】
また、本願請求項３に係る発明の畳は、側縁面に合成樹脂を塗布してなる帯状の強化層が形成された比重０．３未満の複数枚の畳床用木質繊維板を、表面側の畳床用木質繊維板の強化層が上向きとなり裏面側の畳床用木質繊維板の強化層が下向きとなるように、且つ上記複数枚の畳床用木質繊維板の間に合成樹脂発泡体を挿入して積層し、縫着した畳床で形成された構成とした。
【０００９】
【作用】
本願請求項１〜３の発明の畳は、表面側の畳床用木質繊維板の強化層が上向きとなり裏面側の畳床用木質繊維板の強化層が下向きとなるように積層し、縫着されるので、梅雨時のように木質繊維板の含水率が上昇した場合においても、針抜けと称する裏面に突出する剥離現象を強化層によって良好に抑制することができる。
【００１０】
また、上記裏面側の畳床用木質繊維板の下向きの強化層と、それ以外の木質繊維板の強化層によって、積層された木質繊維板が挟まれた構成となるので、縫着時のへこみやへたりを軽減することができ、縫着糸に緩みが発生するのを防止することができる。
【００１１】
【実施の形態】
図１は、本願発明の第１実施例である畳（Ａ）を示す。
【００１２】
（１ａ）、（１ｂ）、（１ｃ）、（１ｄ）は、比重０．２〜０．３の矩形状の畳床用木質繊維板である。この畳床用木質繊維板（１ａ）、（１ｂ）、（１ｃ）、（１ｄ）には、その長辺方向両側縁部（２ａ）、（２ｂ）、（２ｃ）、（２ｄ）に、エチレン酢酸ビニル樹脂、ウレタンエラストマー、アクリル樹脂、ＳＢＲ等の合成樹脂液をそれぞれ帯状に塗布してなる強化層（３ａ）、（３ｂ）、（３ｃ）、（３ｄ）が設けられており、木質繊維板（１ａ）、（１ｂ）は、強化層（３ａ）、（３ｂ）がそれぞれ上向きとなるように、また木質繊維板（１ｃ）、（１ｄ）は、強化層（３ｃ）、（３ｄ）が下向きとなるように積層され、縫着されて畳床（４）に形成されている。
【００１３】
そして、表面側の木質繊維板（１ａ）の上に保護層（５）と畳表（６）が積層され、裏面側の木質繊維板（１ｄ）の下方に防湿シート（７）が積層され、縫着されて、畳（Ａ）が形成されている。
【００１４】
従って、裏面側の畳床用木質繊維板（１ｄ）の強化層（３ｄ）は、下向きに積層され、縫着されるので、針抜けと称する裏面に突出する剥離現象が生じ難く、また、この強化層（３ｄ）とそれ以外の畳床用木質繊維板の強化層（３ａ）、（３ｂ）、（３ｃ）とで、或いは上記それ以外の畳床用木質繊維板の強化層（３ａ）、（３ｂ）、（３ｃ）同士間で、縫着部の木質繊維板が挟まれた構成となり、縫着時の糸しまり良く縫着作業をすることができる。
【００１５】
畳床用木質繊維板（１ａ）、（１ｂ）、（１ｃ）、（１ｄ）は、通常湿式抄造法で形成されるので、湿式抄造時のウェットマットに合成樹脂液を帯状に塗布することにより、強化層（３ａ）、（３ｂ）、（３ｃ）、（３ｄ）を設けるようにしてもよい。
【００１６】
また、上記第１実施例では、強化層（３ａ）、（３ｂ）、（３ｃ）、（３ｄ）を長辺方向に設ける場合を示したが、短辺方向にも設けるようにしても良い。
【００１７】
図２は、本願発明の第２実施例である畳（Ｂ）を示す。図２において、（１ｅ）及び（１ｆ）は木質繊維板であり、表面側の木質繊維板（１ｅ）は強化層（３ｅ）が上向きとなるように、裏面側の木質繊維板（１ｆ）は強化層（３ｆ）が下向きとなるように積層されており、裏面側の木質繊維板（１ｆ）の下方にはポリスチレンフォームからなる合成樹脂発泡体（８）が積層されて畳床（９）が形成されている。
【００１８】
そして上記第１実施例と同様に、表面側の木質繊維板の上に保護層（５）と畳表（６）が、合成樹脂発泡体（８）の下に防湿シート（７）が積層、縫着されて第２実施例に係る畳（Ｂ）が形成されている。
【００１９】
この場合も上記第１実施例と同様に、裏面側の畳床用木質繊維板（１ｆ）の強化層（３ｆ）は、下向きに積層され、縫着されるので、針抜けと称する裏面に突出する剥離現象が生じ難く、また、この強化層（３ｆ）と（３ｅ）とで、縫着部の木質繊維板が挟まれた構成となり、縫着時の糸しまり良く縫着作業をすることができる。
【００２０】
図３は、本願発明の第３実施例である畳（Ｃ）を示す。（１ｇ）及び（１ｈ）は畳床用木質繊維板であり、表面側の木質繊維板（１ｇ）は強化層（３ｇ）が上向きとなるように、裏面側の木質繊維板（１ｈ）は強化層（３ｈ）が下向きとなるように積層され、両木質繊維板（１ｇ）と（１ｈ）の間には、ポリスチレンフォームからなる合成樹脂発泡体（８）が挿入されて積層され、縫着されて畳床（９）が形成されている。
【００２１】
そして、前記第１実施例と同様に、表面側の木質繊維板（１ｇ）の上に保護層（５）と畳表（６）が、裏面側の木質繊維板（１ｈ）の下に防湿シート（７）が積層、縫着されて第３実施例に係る畳（Ｃ）が形成されている。
【００２２】
この場合も前記第１実施例と同様に、裏面側の畳床用木質繊維板（１ｈ）の強化層（３ｈ）は、下向きに積層され、縫着されるので、針抜けと称する裏面に突出する剥離現象が生じ難く、また、この強化層（３ｇ）と（３ｈ）とで、縫着部の木質繊維板が挟まれた構成となり、縫着時の糸しまり良く縫着作業をすることができる。
【００２３】
また、上記いずれの実施例においても、表面側の木質繊維板（１ａ）、（１ｅ）、（１ｇ）の側縁部に設けた強化層（３ａ）、（３ｅ）、（３ｇ）は上向きとなるように積層しているので、角立ち良く縫着でき、また畳表の張り替え適正
にも優ている。
【発明の効果】
以上の説明から明らかなように、本願発明の畳は、縫着性が良く、梅雨時のように畳床用木質繊維板の含水率が上がって剥離し易い状態になった時にも、縫着部の針抜けと称する層間剥離を生じることがなく、また、裏面側の強化層と木質繊維板の他の強化層とによって縫着部の木質繊維板が挟まれた構成となるので、縫着時のへこみやへたりが軽減され、縫着糸の緩みが生じ難くなり、縫着作業性良く形成することができる。
【図面の簡単な説明】
【図１】本願発明の第１実施例である畳（Ａ）を示す説明図。
【図２】本願発明の第２実施例である畳（Ｂ）を示す説明図。
【図３】本願発明の第３実施例である畳（Ｃ）を示す説明図。
【符号の説明】
（１ａ）〜（１ｈ）        木質繊維板
（２ａ）〜（２ｄ）        長辺方向側縁部
（３ａ）〜（３ｈ）        強化層
（４）、（９）、（１０）  畳床
（５）                    保護層
（６）                    畳表
（７）                    防湿シート
（８）                    合成樹脂発泡体
【図１】
0003927729.tif 000002
【図２】
0003927729.tif 000003
【図３】
0003927729.tif 000004